(57)【要約】【課題】  複数のコンクリートブロックを縦横方向に連接してコンクリートブロック壁などを構築する場合に使用され、コンクリートブロック壁の構築精度を高め、構築時間の短縮化、材料費の節減などに寄与することのできるコンクリートブロック構築用補助具を提供することにある。【解決手段】  左右の外側板２、外側板２の内側に配置された内側板３、同一側の外側板２と内側板３との間に形成されるモルタル充填室４、左右の内側板３の上端の間に設けられた水平閉塞板５、外側板２と内側板３とを連結する複数の連結板６、各コンクリートブロックａの孔部ｂに一部挿入される複数の係止片７、鉄筋位置に対応する各所の片側の外側板２、内側板３及び水平閉塞板５の一部にそれぞれ形成された鉄筋抜溝８などから構成した。【選択図】        図１
2006348508.tif 000002
【特許請求の範囲】
【請求項１】
コンクリートブロックの幅と同一幅間隔で左右に、連接される複数個のコンクリートブロックの長さを有する外側板を並設し、左右の外側板の内側に、コンクリートブロックの中央側に上下に形成された孔部の幅方向直径以上の幅間隔で左右対称に外側板と同一長さの内側板を並設し、当該内側板の高さをコンクリートブロックの上面に充填されるモルタル高さと同一にし、左右の各同一側に位置する外側板と内側板との間にモルタル充填室を形成し、左右の内側板の上端間に水平閉塞板を設け、モルタル充填室を形成する外側板と内側板とを複数の連結板で連結し、連接される複数個の各コンクリートブロックの孔部に一部挿入される複数の係止片を下方に一部突出させて左右の内側板の間にそれぞれ配置し、連接される複数個のコンクリートブロックの境界部位に配筋される鉄筋位置に対応する各所の片側の外側板、内側板及び水平閉塞板に鉄筋抜溝をそれぞれ形成したことを特徴とするコンクリートブロック構築用補助具。
【請求項２】
外側板の外面側には把手が設けられている請求項１記載のコンクリートブロック構築用補助具。
【発明の詳細な説明】
【技術分野】
【０００１】
この発明は、コンクリートブロックを構築する場合に使用される補助具に係り、特に、複数のコンクリートブロックを縦横方向に連接してコンクリートブロック壁などを構築する場合に使用され、コンクリートブロック壁の構築精度を高め、構築時間の短縮化、材料費の節減などに寄与するコンクリートブロック構築用補助具に関するものである。
【背景技術】
【０００２】
従来、複数のコンクリートブロックを縦横方向に連接してコンクリートブロック壁などを構築する場合には、縦横方向にコンクリートブロックを積み、モルタルをその隙間に充填している。モルタルの充填は、コテとコテ板を使用して、連接部分にモルタルを詰め込んで各コンクリートブロック同士を接合している。
【特許文献１】特開平１１−２５６８２３
【特許文献２】特開平０７−２３８６０２
【発明の開示】
【発明が解決しようとする課題】
【０００３】
しかしながら、従来の作業工程では手間と時間がかかり、またコンクリートブロック同士を接合するためのモルタルの使用量の２〜３割が作業の途中で落ちて無駄になっている。しかも、モルタルの一部が作業中にコンクリートブロックの表面に付着してその表面が汚れることがしばしば発生していた。さらに、このコンクリートブロックの構築作業は作業員の技量に大幅に左右されるという問題もあった。
【０００４】
この発明は、上記のような課題に鑑み、その課題を解決すべく創案されたものであって、その目的とするところは、複数のコンクリートブロックを縦横方向に連接してコンクリートブロック壁などを構築する場合に使用され、コンクリートブロック壁の構築精度を高め、構築時間の短縮化、材料費の節減などに寄与することのできるコンクリートブロック構築用補助具を提供することにある。
【課題を解決するための手段】
【０００５】
以上の目的を達成するために、請求項１の発明は、コンクリートブロックの幅と同一幅間隔で左右に、連接される複数個のコンクリートブロックの長さを有する外側板を並設し、左右の外側板の内側に、コンクリートブロックの中央側に上下に形成された孔部の幅方向直径以上の幅間隔で左右対称に外側板と同一長さの内側板を並設し、当該内側板の高さをコンクリートブロックの上面に充填されるモルタル高さと同一にし、左右の各同一側に位置する外側板と内側板との間にモルタル充填室を形成し、左右の内側板の上端間に水平閉塞板を設け、モルタル充填室を形成する外側板と内側板とを複数の連結板で連結し、連接される複数個の各コンクリートブロックの孔部に一部挿入される複数の係止片を下方に一部突出させて左右の内側板の間にそれぞれ配置し、連接される複数個のコンクリートブロックの境界部位に配筋される鉄筋位置に対応する各所の片側の外側板、内側板及び水平閉塞板に鉄筋抜溝をそれぞれ形成した手段よりなるものである。
【発明の効果】
【０００６】
以上の記載より明らかなように、この発明に係るコンクリートブロック構築用補助具によれば、複数個のコンクリートブロックを縦横方向に連接してコンクリートブロック壁などを構築する作業時間を半減することができる。
作業者の技量に関係なく正確な作業を行うことが可能となり、コンクリートブロックを用いた構築作業の標準化を図ることができる。
また、従来作業のように、作業中にモルタルの一部がコンクリートブロックの表面に付着して汚すこともない。
さらに、従来の作業では作業者によって、モルタルの使用量にむらが生じていたが、使用量も略均一にすることができる。
さらにまた、作業中にコンクリートブロックの上にモルタルをのせる場合、モルタルの一部がはみ出て、よく落ちていて、モルタルの使用量に無駄が生じていたが、モルタルの一部が落ちることがなく、モルタルの使用量を略一定量に調整でき、材料費の削減を図ることができる等、極めて新規的有益なる効果を奏するものである。
【発明を実施するための最良の形態】
【０００７】
以下、図面に記載の発明を実施するための最良の形態に基づいて、この発明をより具体的に説明する。
【０００８】
図において、コンクリートブロック構築用補助具１は、左右の外側板２、外側板２の内側に配置された内側板３、同一側の外側板２と内側板３との間に形成されるモルタル充填室４、左右の内側板３の上端の間に設けられた水平閉塞板５、外側板２と内側板３とを連結する複数の連結板６、各コンクリートブロックａの孔部ｂに一部挿入される複数の係止片７、鉄筋位置に対応する各所の片側の外側板２、内側板３及び水平閉塞板５の一部にそれぞれ形成された鉄筋抜溝８、外側板２に設けられた把手９などから構成されている。
【０００９】
左右の外側板２は、コンクリートブロックａの幅と同一幅間隔で左右に並設されている。使用時、左右の外側板２は、その下端がコンクリートブロックａの上面の左右幅方向の側端に位置する。左右の外側板２は連接される複数個のコンクリートブロックａの長さを有している。図１では、左右の外側板２は５個のコンクリートブロックａを長さ方向に連接した分の長さを有している。
【００１０】
また、外側板２の上端は内側板３の上端よりも高くなっていて、コンクリートブロックａの上面に充填されるモルタルｃが外側に落ちないようにしている。この外側板２により、モルタルｃの一部が落下して無駄になるのが防がれる。
【００１１】
左右の外側板２の内側には、コンクリートブロックａの中央側に上下に形成された孔部ｂの幅方向直径以上の間隔、つまり孔部ｂの幅方向直径と同一またはそれよりも広幅の間隔で左右対称に内側板３が並設されている。左右の内側板３は外側板２と同一の長さ、つまり連接される複数個のコンクリートブロックａの長さを有している。
【００１２】
使用時、左右の内側板３は、その下端がコンクリートブロックａの上面の孔部ｂの左右幅方向の縁端上又はその外側に位置して、充填したモルタルｃが孔部ｂ内に落ち込んで無駄に消費されるのを防いでいる。
【００１３】
左右に並設された内側板３は、その高さがコンクリートブロックａの上面に充填されるモルタルｃの高さと同一になっている。つまり、モルタルｃをコンクリートブロックａの上面に充填する場合、この内側板３の高さを利用することで、均一なモルタルｃの高さを形成することが可能となる。
【００１４】
モルタル充填室４は、コンクリートブロックａの上面の中央部分を除く左右両側から側端の間に一定量のモルタルｃを所定の高さで短時間に充填するための箇所である。このモルタル充填室４を利用することで、作業者の技量に影響されることなく、均一なモルタルｃの高さを形成でき、しかも短時間に効率的に形成することが可能となる。
【００１５】
即ち、このモルタル充填室４にモルタルｃを充填して、均し板ｄでその表面の高さを内側板３の高さに一致するように均すのみで簡単にしかも非常に短い時間で、コンクリートブロックａの上面の中央部分を除く左右両側から側端の間に一定量のモルタルｃを所定の高さで短時間に充填することができる。しかも、このとき、モルタルｃは左右の外側板２によって外部に落下して無駄になることはない。
【００１６】
水平閉塞板５は左右の内側板３の上端間に設けられている。水平閉塞板５は、モルタルｃがコンクリートブロックａの上面の中央側に落下して無駄になるのを防ぐものである。また、上記した均し板ｄで均す場合、この水平閉塞板５の上面に沿って均し板ｄを移動させることができ、均し板ｄによる均し作業時間を短縮させることに寄与している。
【００１７】
連結板６は、モルタル充填室４を形成する外側板２と内側板３とを連結するもので、外側板２及び内側板３に対して横断方向に配置されている。連結板６は、例えばコンクリートブロック構築用補助具１の両端、連接される複数個のコンクリートブロックａの境界位置及びその中間位置に対応する各所にそれぞれ配置されている。
【００１８】
係止片７は、左右の内側板３の間に設けられ、各コンクリートブロックａの孔部ｂに一部挿入されるもので、外側板２及び内側板３の下端より下方に一部突出して設けられている。この下方に突出する部分が各コンクリートブロックａの孔部ｂに挿入して、連接された複数個のコンクリートブロックａがその幅方向にずれて非直線状になるのを防ぐ機能を果たしている。
【００１９】
つまり、本願発明のコンクリートブロック構築用補助具１を使用すると、連接された複数個のコンクリートブロックａを直線状に並べることが作業者の技量に関係なく簡単にでき、コンクリートブロックａのブロック壁の平面度の仕上がりの精度を容易に高めることが可能となる。
【００２０】
鉄筋抜溝８は、連接される複数個のコンクリートブロックａの境界部位に配筋される鉄筋ｅにコンクリートブロック構築用補助具１が当たらないようにして連接された複数個のコンクリートブロックａの上面に簡単に設置でき、またそこから除去できるようにする。この鉄筋抜溝８は、連接される複数個のコンクリートブロックａの境界部位に配筋される鉄筋ｅの位置に対応する各所の片側の外側板２、内側板３及び水平閉塞板５に形成されている。
【００２１】
連接されるコンクリートブロックａの境界部位には補強のために鉄筋ｅが上下向きに取り付けられている。コンクリートブロック構築用補助具１は連接された複数個のコンクリートブロックａの上面に設置して使用するので、補強のために鉄筋ｅが上下向きに取り付けられている場合には、この鉄筋抜溝８が形成されていないと、鉄筋ｅの上方からでないとコンクリートブロック構築用補助具１を複数個のコンクリートブロックａの上面に設置できなくなる。コンクリートブロックａの上面への設置及びそこから外すたびに、このコンクリートブロック構築用補助具１を鉄筋ｅの上方まで持ち上げるのは非常な手間となる。
【００２２】
これを回避するために設けられたのが鉄筋抜溝８である。この鉄筋抜溝８を利用することでコンクリートブロック構築用補助具１を補強用の鉄筋ｅの上方まで持ち上げる必要がなく、コンクリートブロックａの幅方向にずらすのみで簡単に複数個のコンクリートブロックａの上面に設置でき、またそこから取り外すことができる。
【００２３】
コンクリートブロック構築用補助具１の外側板２の外面側には把手９が設けられている。作業員はこの把手９を持つことにより、コンクリートブロック構築用補助具１の連接された複数個のコンクリートブロックａの上面への設置及びそこからの撤去作業がスムーズとなる。
【００２４】
次に、上記発明を実施するための最良の形態の構成に基づくコンクリートブロック構築用補助具を用いた施工法について以下説明する。
複数個のコンクリートブロックａを連接状態で所定の施工場所に配置した後、複数個のコンクリートブロックａの上面にコンクリートブロック構築用補助具１を設置する。
【００２５】
このとき、コンクリートブロック構築用補助具１に設けられた複数の係止片７が各コンクリートブロックａの孔部ｂに挿入して係止されることで、コンクリートブロック構築用補助具１の左右の外側板２は、コンクリートブロックａの幅方向の側端に位置し、また、左右の内側板３は中央の孔部ｂの幅方向の直径より外側となる。また、係止されることにより、コンクリートブロック構築用補助具１は複数個の連接されたコンクリートブロックａの上面から落ちることがない。
【００２６】
さらに、複数個の連接されたコンクリートブロックａはこのコンクリートブロック構築用補助具１によって一直線状に維持されることになり、各コンクリートブロックａを一直線状になるように作業員がこれまでの技量を用いておこなう必要がなく、作業員の技量に影響されることなく、簡単容易に複数個の連接された各コンクリートブロックａを一直線状に配列することができる。
【００２７】
このようにして、複数個の連接された各コンクリートブロックａの上面に設置した後、モルタルｃをコンクリートブロック構築用補助具１の左右側に形成されたモルタル充填室４内に充填する。このとき、モルタル充填室４に充填されたモルタルｃは不均一な状態で充填され、またモルタルｃの上面の高さも均一でなく凹凸状になっている。
【００２８】
この後、均し板ｄを使用して、コンクリートブロック構築用補助具１の一端側から反対の他端側に向けて、モルタル充填室４のモルタルｃの表面を均一に均す。即ち、均し板ｄの中央側を左右のモルタル充填室４の中央側の水平閉塞板５の表面に接触させる。このとき、均し板ｄの左右両側は左右のモルタル充填室４の上面側に位置することになる。
【００２９】
この状態で、均し板ｄを水平閉塞板５の表面に沿って、コンクリートブロック構築用補助具１の一端側から他端側に向けて移動させると、左右のモルタル充填室４に充填されたモルタルｃの凹凸状で不均一であった上面は、均し板ｄによって同一の均一な高さに均されて行く。
【００３０】
この作業は単に均し板ｄをコンクリートブロック構築用補助具１の一端側から他端側に向けて移動させるのみで簡単に行うことができ、また、この作業は作業員の技量に関係なく行うことができる。しかも、短時間で行うことができる。
【００３１】
また、このコンクリートブロック構築用補助具１を使用しての作業にあっては、左右の外側板２によって左右のモルタル充填室４からモルタルｃの一部が外部に落下してコンクリートブロックａの表面を汚すこともなく、又モルタルｃの一部が落下することによってモルタルｃの一部が無駄になるという事態を回避して、モルタルｃの使用量を減らすことができる。
【００３２】
このようにして、左右のモルタル充填室４に充填されたモルタルｃの上面を均一な高さに均した後、複数個の連接されたコンクリートブロックａの上面からコンクリートブロック構築用補助具１を撤去する。撤去作業はコンクリートブロック構築用補助具１を少し持ち上げ、鉄筋抜溝８の反対側に横移動させるのみで、簡単に行うことができる。
【００３３】
コンクリートブロック構築用補助具１を撤去した複数個の連接されたコンクリートブロックａの上面の中央側を除く左右両側には、一定高さのモルタルｃが盛り付けられている。作業員はその上に新たなコンクリートブロックａをのせ、上下のコンクリートブロックａの間のモルタルｃを金コテを使って目地をきって行くことにより、短時間に、モルタルｃの一部を無駄にすることなく、しかも、作業者の技量の影響を受けることなく一定の品質の元に、複数のコンクリートブロックａを縦横方向に連接してコンクリートブロック壁などを構築することが可能となる。
【００３４】
なお、この発明は上記発明を実施するための最良の形態に限定されるものではなく、この発明の精神を逸脱しない範囲で種々の改変をなし得ることは勿論である。例えば、コンクリートブロック構築用補助具１は、長い場合には途中で分割されていて、使用時に分割されたものを結合して使用されることもある。また、把手９は図面ではコ字型形状のものを水平方向に取り付けているが、垂直方向に取り付けてもよい。
【図面の簡単な説明】
【００３５】
【図１】この発明を実施するための最良の形態を示すコンクリートブロック構築用補助具の全体平面図である。
【図２】この発明を実施するための最良の形態を示すコンクリートブロック構築用補助具の部分平面図である。
【図３】この発明を実施するための最良の形態を示すコンクリートブロック構築用補助具の正面図である。
【図４】（Ａ）〜（Ｅ）はこの発明を実施するための最良の形態を示すコンクリートブロック構築用補助具を使用した作業工程図である。
【図５】この発明を実施するための最良の形態を示すコンクリートブロック構築用補助具をコンクリートブロックの上面に設置した部分斜視図である。
【符号の説明】
【００３６】
１    コンクリートブロック構築用補助具
２    外側板
３    内側板
４    モルタル充填室
５    水平閉塞板
６    連結板
７    係止片
８    鉄筋抜溝
９    把手
ａ    コンクリートブロック
ｂ    孔部
ｃ    モルタル
ｄ    均し板
ｅ    鉄筋
【図１】
2006348508.tif 000003
【図２】
2006348508.tif 000004
【図３】
2006348508.tif 000005
【図４】
2006348508.tif 000006
【図５】
2006348508.tif 000007